(57)【特許請求の範囲】
【請求項１】
Ｕ字状をなす撚り線に複数の紐状体を挟んであるブラシ体を、柄の先端に取り付けてある洗浄ブラシにおいて、
先端側に被洗浄体を挿通する挿通孔を形成するように、前記撚り線を前記先端側より柄側で曲げてあることを特徴とする洗浄ブラシ。
【請求項２】
前記紐状体は、断面が異形の繊維を含むことを特徴とする請求項１に記載の洗浄ブラシ。
【請求項３】
前記被洗浄体は、洗浄便座の洗浄水の吐出ノズルであることを特徴とする請求項１又は２に記載の洗浄ブラシ。
【請求項４】
前記柄は、中途部にフランジを備えることを特徴とする請求項１から３までのいずれか１項に記載の洗浄ブラシ。
【請求項５】
直方体状をなし、
一側面の上面寄りに設けられた開口部と、
前記上面の、前記開口部側に設けられ、請求項４に記載の洗浄ブラシの柄を案内し、端部に前記フランジを係止する柄案内穴と
を備えることを特徴とするケース。
【請求項６】
他側面に吸盤を取り付けてあることを特徴とする請求項５に記載のケース。
【発明の詳細な説明】
【技術分野】
【０００１】
本発明は、例えば便器及び洗浄便座のノズル等を洗浄するために用いられる洗浄ブラシ、及び該洗浄ブラシを収納するケースに関する。
【背景技術】
【０００２】
トイレ用の洗浄ブラシのように、水を用いて被清掃部分の汚れを擦り取るブラシとして種々のものが開発されている。
これらの洗浄ブラシは、洗浄剤を用い、洗浄剤が有する洗浄力を利用して汚れを落とすように構成されており、予め洗浄剤をブラシ部分に振り掛けるか染み込ませておいて汚れ部分を擦り取るか、洗浄剤を予め汚れ部分に振り掛けておいてブラシで擦り取るかすることにより、汚れを落としていた。これらの洗浄ブラシによれば、使用時に洗浄剤が下水に放出されることになり、環境負荷が増大するという問題がある。
【０００３】
そこで、本出願人は、洗浄効率を向上させるために、例えばポリエステル等からなり、断面が異形である繊維を含む紐状体を束ねてブラシ体を構成し、このブラシ体を柄の先端に固着した洗浄ブラシを開発した（特許文献１及び２）。これらの洗浄ブラシにおいては、繊維の断面形状が円形状ではなく、異形形状であり、先鋭な頂点を有し、汚れ成分との接触面積が大きくなるので、洗浄効率が良好である。従って、洗浄剤を使用することなく水を含ませて擦るだけで汚れを落とすことも可能であり、洗剤の使用による環境負荷の低減を図ることができる。
【先行技術文献】
【特許文献】
【０００４】
【特許文献１】特許第４５８５６５７号公報
【特許文献２】特許第４７８３３７１号公報
【発明の概要】
【発明が解決しようとする課題】
【０００５】
近年の便器は、人体の臀部を洗浄するための洗浄水を噴射する吐水ノズルを備える洗浄便座を配したものが主流である。
この吐水ノズルには水垢、汚物等のがんこな汚れが付着していることが多いが、特許文献１及び２等の洗浄ブラシをトイレ洗浄に用いた場合、吐水ノズルは幅狭の円柱状をなすのに対し、ブラシ体は球状をなすので汚れ部分に当接しにくく、汚れを十分に落とすことができないという問題があった。
吐水ノズル向けに洗浄ブラシを別途備えることも考えられるが、トイレ空間は狭く、２種類の洗浄ブラシを備えることには問題がある。
【０００６】
本発明は斯かる事情に鑑みてなされたものであり、幅が狭く、がんこな汚れが付着し易い洗浄便座の吐出ノズル等の被洗浄体の汚れを擦り落とすことができ、洗浄対象の各部を清掃することができ、洗浄効率が良好である洗浄ブラシ、及び該洗浄ブラシを収納するケースを提供することを目的とする。
【課題を解決するための手段】
【０００７】
第１発明に係る洗浄ブラシは、Ｕ字状をなす撚り線に複数の紐状体を挟んであるブラシ体を、柄の先端に取り付けてある洗浄ブラシにおいて、先端側に被洗浄体を挿通する挿通孔を形成するように、前記撚り線を前記先端側より柄側で曲げてあることを特徴とする。
【０００８】
本発明においては、被洗浄体を挿通孔に挿通する場合、被洗浄体の進入に従って撚り線に放射状に展開している紐状体が順次撓み、紐状体が被洗浄体の汚れに確実に当接して汚れが良好に擦り取られる。
【０００９】
第２発明に係る洗浄ブラシは、第１発明において、前記紐状体は、断面が異形の繊維を含むことを特徴とする。
【００１０】
本発明においては、紐状体が、異形断面形状を有し、先鋭な頂点を有し、汚れ成分との接触面積が大きくすることができる繊維を含むので、洗浄効率が良好であり、洗浄剤を用いず、水のみでも汚れを落とすことができる。
【００１１】
第３発明に係る洗浄ブラシは、第１又は第２発明において、前記被洗浄体は、洗浄便座の洗浄水の吐出ノズルであることを特徴とする。
【００１２】
本発明においては、幅が狭く、がんこな汚れが付着し易い洗浄便座の吐水ノズルに紐状体を確実に当接して、汚れを擦り落とすことができる。
【００１３】
第４発明に係る洗浄ブラシは、第１乃至第３発明のいずれかにおいて、前記柄は、中途部にフランジを備えることを特徴とする。
【００１４】
本発明においては、洗浄ブラシを握った場合にブラシ体側に手がずれることが抑制される。また、ブラシ体が下面に接しない状態で、ケースの上面等に柄を係止させることができる。
【００１５】
第５発明に係るケースは、直方体状をなし、一側面の上面寄りに設けられた開口部と、前記上面の、前記開口部側に設けられ、第４発明の洗浄ブラシの柄を案内し、端部に前記フランジを係止する柄案内穴とを備えることを特徴とする。
【００１６】
本発明においては、洗浄ブラシを開口部から挿入して、フランジを柄案内穴の端部に係止させることができる。
【００１７】
第６発明に係るケースは、第５発明において、他側面に吸盤を取り付けてあることを特徴とする。
【００１８】
本発明においては、ケースを床面に置かずに、例えばトイレの貯水タンク等に取り付けることができる。
【発明の効果】
【００１９】
本発明の洗浄ブラシによれば、幅が狭く、がんこな汚れが付着し易い洗浄便座の吐出ノズル等の被洗浄体の汚れを擦り落とすことができ、洗浄対象の各部を清掃することができ、洗浄効率が良好である。
また、本発明のケースによれば、本発明の洗浄ブラシを開口部から挿入して、フランジを柄案内穴の端部に係止させ、衛生的かつコンパクトに洗浄ブラシを収納することができる。
【図面の簡単な説明】
【００２０】
【図１】本発明の実施の形態に係る洗浄ブラシの斜視図である。
【図２】本発明の実施の形態に係る洗浄ブラシの正面図である。
【図３】本発明の実施の形態に係る洗浄ブラシの背面図である。
【図４】本発明の実施の形態に係る洗浄ブラシの右側面図である。
【図５】本発明の実施の形態に係る洗浄ブラシの左側面図である。
【図６】本発明の実施の形態に係る洗浄ブラシの平面図である。
【図７】本発明の実施の形態に係る洗浄ブラシの底面図である。
【図８】本発明の実施の形態に係る洗浄ブラシをケースに収納した状態を示す斜視図である。
【図９】本発明の実施の形態に係る洗浄ブラシをケースに収納した状態を示す側面図である。
【図１０】本発明の実施の形態に係る洗浄ブラシのブラシ体の紐状体の単繊維により洗浄する状態を示す模式図である。
【図１１】本発明の実施の形態に係る洗浄ブラシを用いて、便器の内面を清掃する状態を示す斜視図である。
【図１２】本発明の実施の形態に係る洗浄ブラシを用いて、便器に載置された洗浄便座の吐水ノズルを清掃する状態を示す斜視図である。
【図１３】本発明の実施の形態に係る洗浄ブラシのブラシ体の挿通孔に吐水ノズルを挿通する状態を示す模式的断面図である。
【発明を実施するための形態】
【００２１】
以下、本発明をその実施の形態を示す図面に基づいて具体的に説明する。
図１は本発明の実施の形態に係る洗浄ブラシ１の斜視図、図２は洗浄ブラシ１の正面図、図３は洗浄ブラシ１の背面図、図４は洗浄ブラシ１の右側面図、図５は洗浄ブラシ１の左側面図、図６は洗浄ブラシ１の平面図、図７は洗浄ブラシ１の底面図である。
洗浄ブラシ１は、丸棒状をなす柄３と、柄３の先端に設けられたブラシ体２とを備える。
【００２２】
ブラシ体２の紐状体２２は、例えばポリエステルを樹脂繊維押出しダイに形成した特殊形状のオリフィスから押し出した単繊維（例えばモノフィラメント）２２ａを多数本引き揃えて、これに撚りを掛けることによって得られる。単繊維は、真円形以外、先鋭な頂点を有する、例えば各辺が少し内側に凹んだ略正三角形状等の異形断面形状を有する（図１０参照）。
【００２３】
ブラシ体２は、２本の例えば針金等の芯線２１の間に、多数本に切り揃えた紐状体２２を挟み込み、２本の芯線２１を合わせて捻回し、芯線２１の軸回りに紐状体２２を放射状に展開し、この芯線２１をＵ字状（２つ折り状）に曲げ、両端部を柄３の先端部に差し込んでなる。
そして、図２等に示すように、柄３のブラシ体２の取り付け部からブラシ体２の略中央部まで芯線２１が略平行であり、芯線２１の二つ折り部側（先端側）に後述する洗浄便座５０の吐出ノズル５１（図１２参照）を挿通することができる挿通孔２３を形成するように、ブラシ体２（芯線２１）を、柄３の軸線に対し所定の角度をなすように折り曲げてある。すなわち、洗浄ブラシ１は全体として、への字状をなすように構成されている。
挿通孔２３は、ブラシ体２の芯線２１が平行である部分の長さ、すなわちブラシ体２を曲げる位置を変えることにより、所望の大きさに設定することができる。
【００２４】
柄３は例えばポリプロピレン等の合成樹脂からなり、中途部に設けられ、平面視が花びら状をなすフランジ３１と、上端部に設けられ、柄３の径方向に貫通する貫通孔３２とを備える。フランジ３１により、手がブラシ体２側にずれることがなく、後述するケース１０の上面に設けた柄案内穴１１（図８参照）の端部に洗浄ブラシ１が係止される。貫通孔３２は、紐を挿通したり、洗浄ブラシ１を壁に設けた釘等に引っかけたりするのに用いられる。
【００２５】
図８は洗浄ブラシ１をケース１０に収納した状態を示す斜視図、図９は洗浄ブラシ１をケース１０に収納した状態を示す側面図である。
ケース１０は、例えばポリプロピレン等の合成樹脂からなり、直方体状をなす。ケース１０の一側面には、上面寄りに、一側面の大部分を占めるように開口部１２が設けられている。ケース１０の上面の開口部１２側には、該開口部１２から上面の略中央部まで延びて、洗浄ブラシ１の柄３を案内し、端部にフランジ３１を係止する柄案内穴１１が設けられている。
ケース１０の背面には長手方向に２個、吸盤１３が取り付けられている。
【００２６】
図９に示すように、洗浄ブラシ１は、ブラシ体２の先端部をケース１０の正面に向ける状態で開口部１２から挿入され、ケース１０の上面の柄案内穴１１により案内され、柄案内穴１１の端部に柄３のフランジ３１を係止されて、ケース１０に収納される。ここで、ブラシ体２がケース１０の下面に接しないので衛生的である。そして、洗浄ブラシ１をケース１０に収納した後、吸盤１３によりケース１０をトイレの貯水タンクに取り付けることも可能である。
【００２７】
図１０は、ブラシ体２の紐状体２２の単繊維２２ａにより洗浄する状態を示す模式図である。
洗浄ブラシ１は、ブラシ体２を構成する単繊維２２ａの断面形状が上述したように先鋭な頂点をもつ略正三角形状であるので、被清掃面４０の汚れを単繊維２２ａの先鋭な頂点で擦り取ることができ、単繊維２２ａの各辺が内側に凹んでいるので汚れとの接触面積も大きく、洗浄効率が良好である。そして、一旦擦り取った汚れは単繊維２２ａ間に抱き込んだ水の中に漂わせて抱え込ませておくこともでき、洗浄剤を使用することなく水のみで汚れを落とすことも可能である。
【００２８】
図１１は、洗浄ブラシ１を用いて便器６０の内面６１を清掃する状態を示す斜視図である。
便器６０は陶器製である。
便器６０の内面６１を清掃する場合、ブラシ体２の先端部が下を向く状態で、すなわち洗浄ブラシ１が、への字状をなす状態で洗浄用ブラシ１の柄３を握り、ブラシ体２を内面６１に当接して汚れを擦り取る。排水孔６２の周縁の内面６１は、上に凸の曲面状をなす。洗浄ブラシ１が、への字状をなし、ブラシ体２が異形断面形状を有するので、擦り残しがなく、陶器製の内面６１を傷つけることなく、無駄な力を掛けずに効率よく清掃することができる。
【００２９】
図１２は、洗浄ブラシ１を用いて、便器６０に載置された洗浄便座５０の吐水ノズル５１を清掃する状態を示す斜視図である。
洗浄便座５０は例えばポリプロピレン製であり、略中央部の凹部５３のノズルダンパー５４が開き、ノズルヘッド５５、第１シリンダ部５６及び第２シリンダ部５７を有する３段式の吐水ノズル５１が進出し、噴射孔５８から人体の臀部を洗浄する洗浄水が噴射されるように構成されている。
【００３０】
吐水ノズル５１の清掃時には、洗浄水の供給を止めた状態で、ノズルダンパー５４から吐水ノズル５１を進出させる。そして、ブラシ体２の先端部が上を向く状態で、すなわち洗浄ブラシ１が逆への字状をなす状態で柄３を握り、挿通孔２３を吐水ノズル５１に嵌めて、吐水ノズル５１の先端部がブラシ体２の湾曲部外側から突出するように洗浄ブラシ１を上側に動かし、紐状体２２を吐水ノズル５１に当接させて汚れを擦り取る。
【００３１】
図１３は、挿通孔２３に吐水ノズル５１を挿通する状態を示す模式的断面図である。
吐水ノズル５１には水垢、汚物等のがんこな汚れが付着していることが多い。
図１３に示すように、吐水ノズル５１を挿通孔２３に挿通する場合、吐水ノズル５１の進入に従って芯線２１，２１に放射状に展開している紐状体２２が順次撓み、紐状体２２が吐水ノズル５１の汚れに確実に当接して汚れが良好に擦り取られる。紐状体２２はポリエチレン製であり、柔らかいので、紐状体２２により吐水ノズル５１を傷つけることがない。
【００３２】
以上のように、本実施の形態の洗浄ブラシ１においては、便器６０の内面６１にはブラシ体２の外側を当接させ、洗浄便座５０の吐水ノズル５１は挿通孔２３を挿通させて、内側から紐状体２２を当接させることができ、洗浄効率良好に清掃することができる。従って、各被清掃部分に応じて、複数の洗浄ブラシを狭いトイレ空間等に配置しておく必要がない。
【００３３】
なお、洗浄ブラシ１の各部の材質、挿通孔２３の形状及び大きさ、単繊維２２ａの形状、並びにケース１０の形状等は前記実施の形態において説明した場合には限定されない。
また、トイレ空間の便器６０及び洗浄便座５０を清掃する場合につき説明しているがこれに限定されるものではなく、浴室及び台所等の他の空間も清掃することができる。
本発明は、請求項に示した範囲で種々の変更が可能である。すなわち、請求項に示した範囲で適宜変更した技術的手段を組み合わせて得られる実施形態も本発明の技術的範囲に含まれる。
【符号の説明】
【００３４】
１  洗浄ブラシ
２  ブラシ体
２１  芯線
２２  紐状体
２２ａ  単繊維
２３  挿通孔
３  柄
３１  フランジ
３２  貫通孔
１０  ケース
１１  柄案内穴
１２  開口部
【図１】
0005487476.tif 000002
【図２】
0005487476.tif 000003
【図３】
0005487476.tif 000004
【図４】
0005487476.tif 000005
【図５】
0005487476.tif 000006
【図６】
0005487476.tif 000007
【図７】
0005487476.tif 000008
【図８】
0005487476.tif 000009
【図９】
0005487476.tif 000010
【図１０】
0005487476.tif 000011
【図１１】
0005487476.tif 000012
【図１２】
0005487476.tif 000013
【図１３】
0005487476.tif 000014